(57)【要約】【課題】最適な使用状態をもたらすことの出来るブラインド本体昇降制御構造を提供する。【解決手段】ブラインド本体昇降制御構造であって、上・下フレームと、昇降コード制御器と、伝動ユニット及びブラインド本体によって構成され、上フレームの片方に昇降コード制御器を納める収容槽を凹設し、前記昇降コード制御器は、ロッドホルダーと、昇降ロッドと、昇降コードと、伝動コード及びスライド・ロッドの伝動ユニットと相互に連動してブラインド本体を巻き上げ或いは展開する；上述の構造によって、手で押し引きする力と昇降制御装置とのつり合いによって、最も好ましい昇降調整効果及び快速据付の便利さを達成する。【選択図】  図１
0003134773.tif 000002
【実用新案登録請求の範囲】
【請求項１】
ブラインドの上フレームの収容槽の中にそれぞれ昇降コード制御器及び伝動ユニットを設け、前記伝動ユニットには若干の昇降コードを設けて伝動コードと組み合わせ、昇降コード及び伝動コードが伝動ユニット及び昇降コード制御器にて生じる定常トルク作用に伴って閉合及び釈放され、且つ前記昇降コードはブラインド本体に穿設され、下フレームに結合されることによって、前記ブラインド本体が昇降コード制御器及び伝動ユニットに連動して昇降コードの閉合又は釈放と同期作動して閉合又は展開を行うことを特徴とするブラインド本体昇降制御構造。
【請求項２】
前記昇降コード制御器は、上・下台座と、回転座及びトーションバネとによって構成されることを特徴とする請求項１に記載のブラインド本体昇降制御構造。
【請求項３】
前記下台座は、上台座と同じ形で、且つ上台座に対向して設置され、又、上・下台座は雌雄相対嵌設部及び対称部を呈し、相互に嵌着して一組となることを特徴とする請求項２に記載のブラインド本体昇降制御構造。
【請求項４】
前記上・下台座の両外側には、相対する第一当りブロック及び第二当りブロックを設置し、第一当りブロックに嵌着部を設け、第二当りブロックの外側当り面に対応するところに嵌着溝を凹設し、第一当りブロック及び第二当りブロックの中に心軸を備えた環状槽及びリミット環状槽を設け、環状槽外側の四隅に当り止め柱を環設したことを特徴とする請求項２に記載のブラインド本体昇降制御構造。
【請求項５】
前記回転座の一方に円柱形を呈する作動体を設け、且つ前記作動体には凹槽固着穴を有する巻き付け面を設け、もう一方には輪軸座を有する巻上げ面を設け、座面において当り止め部を形成し、当り止め部の中心には枢着穴を設け、且つ巻上げ面及び巻き付け面の結合箇所に抵触面を形成し、回転座の巻き上げ面が丁度よく中心軸に枢設され、その抵触面が丁度よく当り止め柱に抵触するようにしたことを特徴とする請求項２に記載のブラインド本体昇降制御構造。
【請求項６】
前記作動体は、円柱形を呈することを特徴とする請求項５に記載のブラインド本体昇降制御構造。
【請求項７】
前記伝動ユニットは、ロッドホルダーと、昇降ロッドと、昇降コードと、伝動コード及びスライド・ロッドとによって構成されることを特徴とする請求項１に記載のブラインド本体昇降制御構造。
【請求項８】
前記ロッドホルダーの片方には枢着導孔を設けて昇降ロッドを穿設させるようにしたことを特徴とする請求項７に記載のブラインド本体昇降制御構造。
【請求項９】
前記昇降コード及び伝動コードは、帯状であってよいことを特徴とする請求項１に記載のブラインド本体昇降制御構造。
【請求項１０】
前記昇降コード及び伝動コードは、ケーブル状であってよいことを特徴とする請求項１に記載のブラインド本体昇降制御構造。
【請求項１１】
前記昇降コード制御器のトーションバネは、ブラインドの寸法に応じて一個又は一個以上であってよいことを特徴とする請求項１に記載のブラインド本体昇降制御構造。
【考案の詳細な説明】
【技術分野】
【０００１】
本考案は、ブラインドの昇降コード制御器の中のトーションバネ装置のトーションバネによって位置決めボックスと巻き付け面の間のトーション作用を制御し、更に手部で下フレームを上げ下げする力によって昇降コードを昇降ロッドにおいて引き締めたり緩めたりさせ、両者間に制限均衡状態を形成し、ブラインドの高度位置を思うままに調整し、且つ昇降コードを引っ張る時の手部傷害を避け、最良の使用状態をもたらすことの出来るブラインド本体昇降制御構造に関するものである。
【背景技術】
【０００２】
一般に従来のブラインド機構は、ブラインド本体と、伝動ユニットと、昇降コードによって構成され、ユーザーが昇降コードを操作するとき、昇降コードの摩擦面が比較的小さいため、引っ張るとき手部を痛めつけ、又、昇降コードを引っ張ってブラインド本体の開閉を調整するとき、昇降コードを引っ張る力が大きすぎたり又は下ろす速度が速すぎた場合、ブラインド本体を確実に所要の適当な位置に位置決めすることが出来ず、操作調整を繰り返し行わなければならず、不便である。本案考案者は、上述従来型に派生する各項の欠点に鑑み、改良を試み、且つ長年苦心研鑽の末、ついに本件ブラインド本体昇降制御構造の開発に成功した。
【考案の開示】
【考案が解決しようとする課題】
【０００３】
本考案の目的は、手部で押し引きする力と昇降コード制御器のトーションバネ装置の弾力とのつりあいによって、ブラインド本体の開閉を思うままに所要の位置で調整し、昇降コードを引っ張るときに招き易い傷害を避け、最良の使用状態を達成することの出来るブラインド本体昇降制御構造を提供することにある。
【０００４】
本考案の次の目的は、手部で押し引きする力と昇降コード制御器のトーションバネ装置の弾力とのつりあいによって、ブラインド本体を確実に所要の位置で開閉させ、又思うままに所要の高さに調整し、従来の昇降コードを繰り返し調整する不便を避け、操作及び取り付けが一層正確で簡単に行えるブラインド本体昇降制御構造を提供することにある。
【課題を解決するための手段】
【０００５】
上述目的を達成できるブラインド本体昇降制御構造は、ブラインド上フレームの収容槽の中に昇降コード制御器及び伝動ユニットをそれぞれ設置し、前記伝動ユニットには更に若干の昇降コード及び伝動コードを配置して、昇降コード及び伝動コードが伝動ユニット及び昇降コード制御器にて生じる定常トルク作用によって巻き上げ及び釈放垂下を行う；前記昇降コードはブラインド本体に穿設して下フレームに固着されることによって、前記ブラインド本体を昇降コード制御器及び伝動ユニットに連動して昇降コードの巻き上げ或いは釈放垂下を同期作動させ、ブラインドの開閉を行う。
【考案の効果】
【０００６】
本考案に係るブラインド本体昇降制御器の構造は、下記のような長所が有る。
【０００７】
本考案は、手の押し引き力と昇降コード制御器の定常トルク作用とがつりあって、昇降コードを引っ張る時手を痛みつけることを避けることが出来る。
【０００８】
本考案によれば、ユーザーは思うままに高さを調整し、最良の使用状態をもたらすことが出来る。
【０００９】
本考案は、ブラインド本体を下フレームの上げ下げと同期して自然に閉合又は釈放垂下させることが出来る。
【考案を実施するための最良の形態】
【００１０】
図１は、本考案に係るブラインド本体昇降制御構造の斜視分解図である。前記ブラインドは、上フレーム１０と、下フレーム２０と、昇降コード制御器３０と、伝動ユニット４０及びブラインド本体５０とによって構成される。その中で、上フレーム１０は、片側に収容槽１１を凹設し、昇降コード制御器３０（図２に示すように）は、上・下台座３１・３１’と、回転座３２及び二つのトーションバネ３３によって構成され、その中で、上・下台座３１・３１’には雌雄相対する嵌着部及び対称部を設け、相互に嵌着して閉鎖式位置決めボックスを構成し、下台座３１’は上台座３１と同じ構造で、上台座３１と反対方向に設置され、二つの台座３１・３１’を上・下対向する相対嵌着ユニットとして形成することが出来る。
【００１１】
前記台座３１は、逆門型長槽状を呈し、両外側には相対する第一当りブロック３１１及び第二当りブロック３１２を設け、第一当りブロック３１１の上縁面に嵌着部３１３を延伸し、第二当りブロック３１２の外側当り面の嵌着部３１３に対応する箇所に嵌着溝３１４を凹設し、第一当りブロック３１１及び第二当りブロック３１２内の中間あたりに低い階段状の環状槽３１５を凹設し、且つ環状槽３１５の中心から上に向かって中心軸３１６を延伸し、前記中心軸３１６の上縁面にはリブ３１６１及び溝穴３１６２を設け、環状槽３１５の外縁に二組の当り止め柱３１７を設け、二組の当り止め柱３１７はそれぞれ第一当りブロック３１１及び第二当りブロック３１２とで二組のリミット環状槽３１７１を形成し、前記二組のリミット環状槽３１７１の中心からそれぞれ上向きに心軸３１８・３１９を延伸し、前記心軸３１８上縁面には溝穴３１８１を設け、前記心軸３１９の上縁面にはリブ３１９１を相対設置してある。
【００１２】
前記回転座３２の片方に円柱状の作動体３２１を設け、且つ作動体３２１には固着穴３２２を有する巻き付け面３２３を設け、別の片方に輪軸座を有する巻上げ面３２４を設け、前記巻上げ面３２４の片方に抵触部３２６を設け、抵触部３２６の中心に枢着穴３２７を設けると共に、巻き付け面３２３と巻き上げ面３２４の結合箇所に抵触面３２５を形成し、回転座３２の巻き付け面３２３が中心軸３１６の上に枢設され、前記抵触面３２５が丁度よく当り止め柱３１７に当接するようにする；前記伝動ユニット４０は、ロッドホルダー４１・４２と、昇降ロッド４３と、昇降コード４４と、伝動コード４５及びスライド・ロッド４６と、によって構成され、前記ロッドホルダー４１・４２の片方に枢着導孔４１１・４１２を設けて昇降ロッド４３を穿設させる；前記昇降コード４４及び伝動コード４５は、ベルト式又はケーブル式であってよい。
【００１３】
組み立てるときは、図３及び図四４示すように、昇降コード制御器３０の上・下台座３１・３１’を相互に向かい合わせて設置し、トーションバネ３３両端の引っ掛けリミット部をそれぞれ回転座３２の作動体３２１の巻き付け面３２３両側凹槽の固着穴３２２に嵌めて位置決めし、図５に示すように、並列されたトーションバネ３３が逆S字型の方式で働くようにさせ、次にそれぞれ下台座３１’両側のリミット環状槽３１７１の心軸３１８・３１９にセットし、同時に回転座３２の作動体３２１を環状槽３１５の中心軸３１６にセットする。この時、回転座３２の抵触面３２５が丁度よく位置当り止め柱３１７に跨って並列されたトーションバネ３３の側縁を押さえ付けるようにする。
【００１４】
次に上台座３１を下台座３１’にセットして、上・下台座３１・３１’の雌雄嵌着部及び対称部を相互に嵌着させて昇降コード制御器３０を構成する。この時、前記昇降コード制御器３０を上フレーム１０の収容槽１１の中に固設し、更にロッドホルダー４１・４２を適当な距離で上フレーム１０の中に置き且つ位置決めし、昇降ロッド４３が枢着導孔４１１・４１２によってロッドホルダー４１・４２の間にて転動状態を形成し、且つロッドホルダー４２に固定されたスライド・ロッドと回転軸３２との間に、伝動コード４５を穿通・巻き付けてスライドさせ、且つ両方の昇降コード４４をそれぞれブラインド本体５０の穿設された位置に沿って昇降ロッド４３両端の二つのロッドホルダー４１・４２の一方に固定し、昇降コード４４を上フレーム１０及びブラインド本体５０に穿設した後、下フレーム２０に固定する。前記伝動コード４５の一方は、昇降ロッド４３の一端に固定し、且つスライド・ロッド４６に巻きつけた後、巻き上げ面３２４に固定する。
【００１５】
使用するに当っては、ブラインド本体５０を、図６に示すように、下方へ展開するとき、手部の力で下フレーム２０を下へ引き下げ、昇降コード４４によって昇降ロッド４３を転動させる。この時、昇降ロッド４３が右へ転動して昇降コード４４を釈放し、且つ伝動コード４５がスライド・ロッドを経由して昇降ロッド４３の一方に巻き上げられ、同時に伝動コード４５がその勢いに乗って巻き上げ面３２４を駆使して作動体３２１を逆時計針方向へ転動させる。この時、両方のトーションバネが並列方式で弾力を累積し、且つ作動体３２１の引っ張り力の作用を受けて逆S字型に働き、且つ自然に定常トルクを生じて巻き戻され、巻き付け面３２３において引き締められ、且つトーションバネ数量の増加によって変化することはなく、大幅にブラインド本体５０を引っ張る力や持ち堪える力を増強し、効果的に垂下釈放する目的を達成できる。
【００１６】
図７に示すように、ブラインド本体５０を上に向かって閉合するとき、手部の力で下フレーム２０を押し上げ、巻き付け面３２３に巻き戻されたトーションバネ３３を緩めて自然状態に巻き戻し、作動体３２１が時計回り方向に転動すると共に、定常トルクを生じる。この時、昇降ロッド４３の伝動コード４５がスライド・ロッドを経て巻き上げ面３２４に巻き付けられ、且つ昇降ロッド４３を左へ転動させて昇降コード４４を巻き上げ、閉合する目的を達成する。従って、手部の押し引き力及び昇降コード制御器３０にて生じる定常トルクの作用とがつり合って、手でコードを引っ張る時の痛みつきを免じ、ユーザーは思うままにブラインドの高さを調整し、最良の使用状態をもたらすことが出来る。
【００１７】
図８は、本考案のもう一つの組み合わせによる実施例を示す。昇降コード制御器３０を比較的小型のブラインド本体５０に取り付ける場合、昇降コード制御器３０の中に並列されたトーションバネ３３の一つを直接取り外し、再び昇降コード制御器３０を上フレーム１０の収容槽１１に取り付けて、ブラインド本体５０を同様に自然に閉合又は釈放垂下させる効果を達成することが出来る。
【００１８】
以上を総合すると、本考案は、空間形態上で確かに創造的であるのみならず、従来の物品に比べ、上述多項目にわたる効能を増進し、新規性及び進歩性の法定実用新案登録請求の要件を十分満たしているものとして、ここに法に従って請求する次第である。
【図面の簡単な説明】
【００１９】
【図１】本考案の斜視分解図である。
【図２】本考案の昇降コード制御器の斜視分解図である。
【図３】本考案の斜視組み合わせ図である。
【図４】本考案の局部組み合わせ拡大図である。
【図５】本考案の昇降コード制御器のトーションバネ及び回転ブロックの背面組み合わせ略図である。
【図６】本考案のブラインド本体の下向き展開略図である。
【図７】本考案のブラインド本体の上向き閉合略図である。
【図８】本考案のもう一つの実施例組み合わせ略図である。
【符号の説明】
【００２０】
１０          上フレーム
１１          収容槽
２０          下フレーム
３０          昇降コード制御器
３１          上台座
３１′        下台座
３１１        第一当りブロック
３１２        第二当りブロック
３１３        嵌着部
３１４        嵌着溝
３１５        環状槽
３１６        中心軸
３１６１      凸柱
３１６２      溝穴
３１７        当り止め柱
３１７１      リミット環状槽
３１８        心軸
３１８１      溝穴
３１９        心軸
３１９１      リブ
３２          回転座
３２１        作動体
３２２        固着穴
３２３        巻き付け面
３２４        巻き上げ面
３２５        抵触面
３２６        抵触部
３２７        枢着穴
３３          トーションバネ
４０          伝動ユニット
４１          ロッドホルダー
４１１        枢着導孔
４２          ロッドホルダー
４２１        枢着導孔
４３          昇降ロッド
４４          昇降コード
４５          伝動コード
４６          スライド・ロッド
５０          ブラインド本体
【図１】
0003134773.tif 000003
【図２】
0003134773.tif 000004
【図３】
0003134773.tif 000005
【図４】
0003134773.tif 000006
【図５】
0003134773.tif 000007
【図６】
0003134773.tif 000008
【図７】
0003134773.tif 000009
【図８】
0003134773.tif 000010